(57)【要約】【課題】  案内情報との干渉を避けて通知情報をできるだけユーザに提示する。【解決手段】  車載装置は、目的地までの経路を案内する案内情報を取得する案内情報取得部と、ユーザに関する通知情報を取得する通知情報取得部と、前記案内情報と前記通知情報の提示タイミングが重複する場合、前記案内情報の種類に基づいて前記通知情報の提示方法を判定する判定部と、判定された前記通知情報の提示方法に従って、前記通知情報を前記ユーザに提示する提示部と、を備えることを特徴とする。【選択図】図１
2019078584.tif 000002
【特許請求の範囲】
【請求項１】
目的地までの経路を案内する案内情報を取得する案内情報取得部と、
ユーザに関する通知情報を取得する通知情報取得部と、
前記案内情報と前記通知情報の提示タイミングが重複する場合、前記案内情報の種類に基づいて前記通知情報の提示方法を判定する判定部と、
前記案内情報を提示するとともに、判定された前記通知情報の提示方法に従って前記通知情報を提示する提示部と、
を備えることを特徴とする車載装置。
【請求項２】
請求項１に記載の車載装置であって、
前記判定部は、前記案内情報の画面表示の面積と音声の有無によって分類された前記種類に基づいて前記通知情報の提示方法を判定する
ことを特徴とする車載装置。
【請求項３】
請求項１に記載の車載装置であって、
前記判定部は、
前記案内情報の提示が全画面表示であって音声を有する１型である場合、前記通知情報を提示させず、
前記案内情報の提示が全画面表示であって音声を有さない２型である場合、前記通知情報を音声だけで提示させ、
前記案内情報の提示が部分画面表示であって音声を有する３型である場合、前記通知情報を部分画面表示だけで提示させ、
前記案内情報の提示が部分画面表示であって音声を有さない４型である場合、前記通知情報を部分画面表示と音声の少なくとも一方で提示させ、
前記案内情報の提示が音声だけを有する５型である場合、前記通知情報を全画面表示または部分画面表示で提示させる
ことを特徴とする車載装置。
【請求項４】
請求項１に記載の車載装置であって、
前記通知情報取得部は、所定のサーバから、前記ユーザに宛てた電子メール、及び前記ユーザのスケジュール情報の少なくとも一方を前記通知情報として取得する
ことを特徴とする車載装置。
【請求項５】
請求項４に記載の車載装置であって、
前記通知情報取得部は、接続されたモバイル端末から、前記モバイル端末のバッテリ残量を前記通知情報として取得する
ことを特徴とする車載装置。
【請求項６】
請求項５に記載の車載装置であって、
前記通知情報取得部は、前記車載装置が搭載されている車両から、前記車両のエネルギー残量を前記通知情報として取得する
ことを特徴とする車載装置。
【請求項７】
請求項１に記載の車載装置であって、
前記通知情報取得部は、緊急情報を前記通知情報として取得し、
前記提示部は、前記緊急情報を前記案内情報よりも優先して前記ユーザに提示する
ことを特徴とする車載装置。
【請求項８】
車載装置による情報提示方法であって、
目的地までの経路を案内する案内情報を取得する案内情報取得ステップと、
ユーザに関する通知情報を取得する通知情報取得ステップと、
前記案内情報と前記通知情報の提示タイミングが重複する場合、前記案内情報の種類に基づいて前記通知情報の提示方法を判定する判定ステップと、
前記案内情報を提示するとともに、判定された前記通知情報の提示方法に従って前記通知情報を提示する提示ステップと、
を含むことを特徴とする情報提示方法。
【請求項９】
目的地までの経路を案内する案内情報を取得する案内情報取得部と、
ユーザに関する通知情報を取得する通知情報取得部と、
前記案内情報と前記通知情報の提示タイミングが重複する場合、前記案内情報の種類に基づいて前記通知情報の提示方法を判定する判定部と、
前記案内情報を提示するとともに、判定された前記通知情報の提示方法に従って前記通知情報を提示する提示部と、
を備える車載装置と、
前記通知情報を前記通知情報取得部に供給するサーバと、
を備えることを特徴とする情報提示システム。
【請求項１０】
目的地までの経路を案内する案内情報を取得する案内情報取得部と、
情報提示装置のユーザに関する通知情報を取得する通知情報取得部と、
前記案内情報と前記通知情報の提示タイミングが重複する場合、前記案内情報の種類に基づいて前記通知情報の提示方法を判定する判定部と、
判定された前記通知情報の提示方法を前記情報提示装置に通知するとともに、前記案内情報及び前記通知情報を前記情報提示装置に供給する供給部と、
を備えることを特徴とするサーバ装置。
【発明の詳細な説明】
【技術分野】
【０００１】
本発明は、車載装置、情報提示方法、情報提示システム、及びサーバ装置に関する。
【背景技術】
【０００２】
特許文献１には、「外部装置から送信された通知情報を取得する通知情報取得部１２１と、搭載された車両の走行状況を特定し通知情報の音声出力の適否を評価する走行状況評価部１２３と、走行状況評価部１２３により音声出力に適すると評価された場合に、通知情報の音声出力と他の誘導音声との干渉を判定する誘導干渉判定部１２４と、誘導音声との干渉がある場合には干渉を回避して通知情報の音声出力を行う音声出力制御部１２５と、を備える」車載装置が記載されている。
【先行技術文献】
【特許文献】
【０００３】
【特許文献１】特開２０１７−７２８０５号公報
【発明の概要】
【発明が解決しようとする課題】
【０００４】
特許文献１に記載の車載装置１００では、誘導音声との干渉がある場合、通知情報の音声出力が制限される。しかしながら、通知情報はユーザにとって有益な情報であることが多いので、誘導音声と重複するタイミングであっても、誘導音声と干渉しないように通知情報をユーザに提示することが望まれている。
【０００５】
本発明は、このような状況に鑑みてなされたものであり、他の情報との干渉を避けて通知情報をできるだけユーザに提示できるようにすることを目的とする。
【課題を解決するための手段】
【０００６】
本願は、上記課題の少なくとも一部を解決する手段を複数含んでいるが、その例を挙げるならば、以下のとおりである。上記課題を解決すべく、本発明の一態様に係る車載装置は、目的地までの経路を案内する案内情報を取得する案内情報取得部と、ユーザに関する通知情報を取得する通知情報取得部と、前記案内情報と前記通知情報の提示タイミングが重複する場合、前記案内情報の提示方法に基づいて前記通知情報の提示方法を判定する判定部と、前記案内情報を提示するとともに、判定された前記通知情報の提示方法に従って前記通知情報を提示する提示部と、を備えることを特徴とする。
【発明の効果】
【０００７】
本発明によれば、他の情報との干渉を避けて通知情報をできるだけユーザに提示することが可能となる。上記した以外の課題、構成及び効果は、以下の実施形態の説明により明らかにされる。
【図面の簡単な説明】
【０００８】
【図１】本発明に係る第１の実施の形態である情報提示システムの構成例を示すブロック図である。
【図２】案内情報と通知情報の種類に応じた通知情報の提示規則の一例を示す図である。
【図３】案内情報と通知情報の表示例を示す図である。
【図４】車載装置による提示判定処理の一例を説明するフローチャートである。
【図５】本発明に係る第２の実施の形態である情報提示システムの構成例を示すブロック図である。
【図６】コンピュータの構成例を示すブロック図である。
【発明を実施するための形態】
【０００９】
以下、本発明に係る複数の実施の形態を図面に基づいて説明する。なお、各実施の形態を説明するための全図において、同一の部材には原則として同一の符号を付し、その繰り返しの説明は省略する。また、以下の実施の形態において、その構成要素（要素ステップ等も含む）は、特に明示した場合および原理的に明らかに必須であると考えられる場合等を除き、必ずしも必須のものではないことは言うまでもない。また、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。
【００１０】
＜本発明に係る第１の実施の形態である情報提示システムの構成例＞
図１は、本発明に係る第１の実施の形態である情報提示システムの構成例を示すブロック図である。
【００１１】
本発明の第１の実施の形態である情報提示システム１０（本発明の情報提示システムに相当する）は、ネットワーク３０を介して接続されるクラウドサーバ２０と車載装置４０とを有する。
【００１２】
クラウドサーバ２０（本発明の所定のサーバに相当する）は、ネットワーク３０を介して接続される車載装置４０に通知情報を供給する。
【００１３】
ネットワーク３０は、インターネットに代表される双方向通信網やテレビジョン放送やラジオ放送の放送網に代表される一方向通信網を含むものとする。
【００１４】
車載装置４０は、自動車等に搭載されるものであって、いわゆるナビゲーション機能を有し、目的地までの経路等を案内する案内情報を画面表示と音声の少なくとも一方によってユーザに提示する。
【００１５】
また、車載装置４０は、案内情報とは異なる情報であって、ユーザにとって有益な情報を通知する通知機能を有する。以下、案内情報以外のユーザにとって有益な情報を通知情報と称する。
【００１６】
通知情報には、例えば、ユーザに宛てた電子メール、該ユーザのスケジュール情報、該ユーザが携行、使用しているスマートフォン等のモバイル端末のバッテリ残量、車載装置４０が搭載された自動車等のエネルギー残量（例えば、ガソリンや軽油の残量、電気自動車の場合にはバッテリの残量、燃料電池自動車の場合には水素の残量）、Ｊアラート（全国瞬時警報システム）、災害情報、緊急地震速報、気象警報、避難情報等の緊急情報が含まれるものとする。
【００１７】
通知情報として例示したユーザに宛てた電子メール、及び該ユーザのスケジュール情報は、例えば、クラウドサーバ２０から取得することができる。モバイル端末のバッテリ残量は、該モバイル端末から取得することができる。車載装置４０が搭載された自動車等のエネルギー残量は、該自動車等から取得することができる。緊急情報は、例えば、放送網や携帯通信網を介して取得することができる。
【００１８】
車載装置４０は、案内情報の提示を優先し、案内情報の提示に干渉しないように、通知情報を可能な限りユーザに提示する。
【００１９】
ただし、通知情報が緊急情報である場合、車載装置４０は、緊急情報を案内情報よりも優先して提示することができる。
【００２０】
ここで、案内情報や通知情報の種類について定義する。案内情報や通知情報には、画面表示の面積が異なるもの、具体的には、画面全体を占める全画面表示と、画面の一部分を占める部分画面表示を行うものがある。また、案内情報や通知情報には、音声が有るものと無いものがある。なお、音声は、言語のテキスト情報を合成音声等によって読み上げたもの、言語のテキスト情報を読み上げた人の発声を録音したもの、単なる音（ビープ音やアラーム音等）のいずれかを指すものとする。
【００２１】
以下、全画面表示で音声を有する案内情報や通知情報を１型と称する。全画面表示で音声が無い案内情報や通知情報を２型と称する。部分画面表示で音声を有する案内情報や通知情報を３型と称する。部分画面表示で音声が無い案内情報や通知情報を４型と称する。画面表示が無く音声だけを有する案内情報や通知情報を５型と称する。
【００２２】
車載装置４０は、通信部４１、通知情報取得部４２、バッファ４３、ナビゲーション処理部４４、案内情報取得部４５、提示判定部４６、表示出力制御部４７、ディスプレイ４８、音声出力制御部４９、及びスピーカ５０を有する。
【００２３】
通信部４１は、ネットワーク３０を介してクラウドサーバ２０に接続する。
【００２４】
通知情報取得部４２は、通信部４１を介して通知情報を取得する。例えば、通知情報取得部４２は、通信部４１を介してクラウドサーバ２０から、ユーザ宛の電子メールやスケジュール情報を通知情報として取得する。また、通知情報取得部４２は、通信部４１及びネットワーク３０を介して緊急情報を通知情報として取得する。
【００２５】
さらに、通知情報取得部４２は、例えば、所定の無線通信（Ｗｉ−Ｆｉ、Ｂｌｕｅｔｏｏｔｈ等（いずれも商標））や通信ケーブル（ＵＳＢケーブル等）を介してユーザのモバイル端末（不図示）に接続し、該モバイル端末からバッテリ残量を通知情報として取得したり、車載装置４０が搭載された自動車等（不図示）とＯＢＤ（Ｏｎ  Ｂｏａｒｄ  Ｄｉａｇｎｏｓｔｉｃｓ）ポート等を介して接続し、該自動車等からエネルギー残量等を通知情報として取得したりする。なお、通知情報取得部４２は、通知情報の供給がプッシュ型とプル型（フェッチ型）のいずれであっても対応できる。
【００２６】
バッファ４３は、通知情報取得部４２によって順次取得される通知情報を保持して、順次、提示判定部４６に供給する。なお、バッファ４３に保持される通知情報には、予めユーザに提示すべきタイミングが付与されているもの（例えば、スケジュール情報の場合、開始時間の１時間前等）が存在する。ただし、予めユーザに提示すべきタイミングが付与されていない通知情報については、バッファ４３に保持された順に、提示すべきタイミングが付与されるものとする。
【００２７】
ナビゲーション処理部４４は、車載装置４０のナビゲーション機能を司り、目的地までの経路等を案内する案内情報を案内情報取得部４５に供給する。案内情報取得部４５は、ナビゲーション処理部４４から取得した案内情報を保持し、保持する案内情報の提示タイミングに合わせて提示判定部４６に供給する。
【００２８】
なお、ナビゲーション処理部４４を省略し、例えば、外部のサーバから供給される案内情報を案内情報取得部４５が通信部４１を介して取得するようにしてもよい。
【００２９】
提示判定部４６（本発明の車載装置における判定部に相当する）は、案内情報の種類に基づき、通知情報の提示方法を判定し、その判定結果に応じ、表示出力制御部４７と音声出力制御部４９とを制御して、案内情報や通知情報をユーザに提示させる。具体的には、案内情報や通知情報の画面表示をディスプレイ４８に出力させ、音声をスピーカ５０から出力させる。なお、表示出力制御部４７、ディスプレイ４８、音声出力制御部４９、及びスピーカ５０は、本発明の提示部に相当する。
【００３０】
より具体的には、提示判定部４６は、提示すべきタイミングの通知情報がバッファ４３に存在し、案内情報取得部４５から案内情報が供給されない場合、該通知情報を提示させる。
【００３１】
また提示判定部４６は、提示すべきタイミングの通知情報がバッファ４３に存在せず、案内情報取得部４５から案内情報が供給された場合、該案内情報を画面表示と音声の少なくとも一方で提示させる。
【００３２】
さらに、提示判定部４６は、提示すべきタイミングの通知情報がバッファ４３に存在し、案内情報取得部４５から案内情報が供給された場合、該案内情報を通知情報よりも優先して提示させ、さらに、案内情報の提示と干渉しないように、可能な限り通知情報も提示させる（詳細後述）。
【００３３】
表示出力制御部４７は、提示判定部４６からの制御に従い、案内情報や通知情報の画面をディスプレイ４８に表示させる。音声出力制御部４９は、提示判定部４６からの制御に従い、案内情報や通知情報の音声をスピーカ５０から出力させる。
【００３４】
＜案内情報と通知情報の種類に応じた通知情報の提示規則＞
次に、図２は、案内情報の種類に応じた通知情報の提示規則の一例を示す図である。図３は、案内情報と通知情報の表示例を示す図である。
【００３５】
図２における×印は通知情報が提示されないことを意味する。□印は通知情報の画面表示が行われず、音声だけが出力されることを意味する。△印は通知情報の音声が出力されず、画面表示だけで行われることを意味する。○印は通知情報の提示が制限されないことを意味する。
【００３６】
例えば、１型の案内情報の提示タイミングと、通知情報の提示タイミングが重複する場合、通知情報はその種類（１型乃至５型）に拘わらず、通知情報は提示されない。すなわち、ディスプレイ４８には、図３の（Ａ）に示されるように、案内情報の全画面表示１０１が表示されるので、通知情報の画面表示は行われない。また、案内情報の音声が出力されるので、通知情報の音声は出力されない。ただし、ここで提示されなかった通知情報を保持するようにし、案内情報が提示されないタイミングに、保持する通知情報を提示するようにしてもよい。
【００３７】
また例えば、２型の案内情報の提示タイミングと、通知情報の提示タイミングが重複する場合、ディスプレイ４８には、図３の（Ａ）に示されるように、案内情報の全画面表示１０１が表示されるので、通知情報の画面表示は行われない。また、案内情報の音声は出力されないので、通知情報が音声出力可能であるときだけ、その音声だけが出力される。
【００３８】
また例えば、３型の案内情報の提示タイミングと、通知情報の提示タイミングが重複する場合、ディスプレイ４８には、図３の（Ｂ）に示されるように、案内情報の部分画面表示１０２が表示されるので、これに干渉しないように、通知情報が部分画面表示可能であるときだけ、通知情報の部分画面表示１０３が表示される。また、案内情報の音声が出力されるので、通知情報の音声は出力されない。ただし、ディスプレイ４８に通知情報の部分画面表示１０３が表示されたことをユーザに気付かせるため、案内情報の音声の聞き取りに影響を及ぼさない程度にビープ音等を出力するようにしてもよい。
【００３９】
また例えば、４型の案内情報の提示タイミングと、通知情報の提示タイミングが重複する場合、ディスプレイ４８には、図３の（Ｂ）に示されるように、案内情報の部分画面表示１０２が表示されるので、これに干渉しないように、通知情報に部分画面表示が存在するときには、ディスプレイ４８に通知情報の部分画面表示１０３が表示される。また、案内情報の音声は出力されないので、通知情報が音声出力可能であるときだけ、その音声が出力される。
【００４０】
さらに例えば、５型の案内情報の提示タイミングと、通知情報の提示タイミングが重複する場合、案内情報の画面表示は行われるので、ディスプレイ４８には、図３の（Ｃ）に示されるように、通知情報の全画面表示１０４が表示されるか、図３の（Ｄ）に示されるように、通知情報の部分画面表示１０５が表示される。また、案内情報の音声が出力されるので、通知情報の音声は出力されない。ただし、ディスプレイ４８に通知情報の全画面表示１０４または部分画面表示１０５が表示されたことをユーザに気付かせるため、案内情報の音声の聞き取りに影響を及ぼさない程度にビープ音等を出力するようにしてもよい。
【００４１】
＜車載装置４０による提示判定処理＞
次に、図４は、通知情報の提示方法を判定する提示判定処理の一例を説明するフローチャートである。
【００４２】
この提示判定処理は、例えば、車載装置４０が起動された後に繰り返し実行される。
【００４３】
はじめに、提示判定部４６は、バッファ４３から通知情報を取得する（ステップＳ１）。なお、バッファ４３に通知情報が保持されていない場合、バッファ４３に通知情報が保持されるまで待機し、バッファ４３に通知情報が保持されてから、その通知情報を取得する。
【００４４】
次に、提示判定部４６は、ステップＳ１で取得した通知情報が緊急情報であるか否かを判定し、緊急情報であると判定した場合（ステップＳ２でＹＥＳ）、緊急情報である通知情報を優先的にユーザに提示する（ステップＳ４）。この後、再び提示判定処理が開始される。
【００４５】
ステップＳ２でバッファ４３から取得した通知情報が緊急情報ではないと判定した場合（ステップＳ２でＮＯ）、提示判定部４６は、案内情報取得部４５から案内情報が供給されたか否かを判定する（ステップＳ３）。ここで、案内情報が供給されていないと判定した場合（ステップＳ３でＮＯ）、提示判定部４６は、ステップＳ１で取得した通知情報の提示を制限することなく、その種類に応じて画面表示及び音声の少なくとも一方によってユーザに提示する（ステップＳ４）。この後、再び提示判定処理が開始される。
【００４６】
ステップＳ３で、案内情報が供給されたと判定した場合（ステップＳ３でＹＥＳ）、提示判定部４６は、案内情報の提示タイミングと、ステップＳ１で取得した通知情報の提示タイミングとが重複するか否かを判定する（ステップＳ５）。ここで、案内情報と通知情報の提示タイミングが重複すると判定した場合、提示判定部４６は、案内情報が１型であるか否かを判定する（ステップＳ６）。ここで、案内情報が１型であると判定した場合（ステップＳ６でＹＥＳ）、提示判定部４６は、通知情報の提示を行わない。すなわち、通知情報の画面表示を行わせず、音声を出力させない（ステップＳ７）。この後、再び提示判定処理が開始される。
【００４７】
ステップＳ６にて、案内情報が１型ではないと判定した場合（ステップＳ６でＮＯ）、提示判定部４６は、案内情報が２型であるか否かを判定する（ステップＳ８）。ここで、案内情報が２型であると判定した場合（ステップＳ８でＹＥＳ）、提示判定部４６は、通知情報が音声出力可能であるときだけ、画面表示を制限しつつ、通知情報の音声だけを出力させる（ステップＳ９）。この後、再び提示判定処理が開始される。
【００４８】
ステップＳ８にて、案内情報が２型ではないと判定した場合（ステップＳ８でＮＯ）、提示判定部４６は、案内情報が３型であるか否かを判定する（ステップＳ１０）。ここで、案内情報が３型であると判定した場合（ステップＳ１０でＹＥＳ）、提示判定部４６は、通知情報が部分画面表示可能であるときだけ、音声出力を制限しつつ、通知情報の部分画面表示だけを行わせる（ステップＳ１１）。この後、再び提示判定処理が開始される。
【００４９】
ステップＳ１０にて、案内情報が３型ではないと判定した場合（ステップＳ１０でＮＯ）、提示判定部４６は、案内情報が４型であるか否かを判定する（ステップＳ１２）。ここで、案内情報が４型であると判定した場合（ステップＳ１２でＹＥＳ）、提示判定部４６は、通知情報が部分画面表示可能であるときには通知情報の部分画面表示を行わせ、通知情報が音声出力可能であるときには通知情報の音声を出力させる（ステップＳ１３）。この後、再び提示判定処理が開始される。
【００５０】
ステップＳ１２にて、案内情報が４型ではないと判定した場合（ステップＳ１２でＮＯ）、案内情報は５型であるので、提示判定部４６は、通知音声の音声出力を制限しつつ、通知情報が全画面表示可能であるときには通知情報の全画面表示を行わせ、通知情報が部分画面表示可能であるときには通知情報の全画面表示を行わせる（ステップＳ１４）。この後、再び提示判定処理が開始される。
【００５１】
以上に説明したように、提示判定処理によれば、案内情報の種類に応じ、案内情報に干渉しないように、可能な限り通知情報が提示されるので、ユーザは、案内情報とともに、自身にとって有益な通知情報も把握することが可能となる。
【００５２】
＜本発明に係る第２の実施の形態である情報提示システムの構成例＞
次に、図５は、本発明に係る第２の実施の形態である情報提示システムの構成例を示すブロック図である。
【００５３】
本発明の第２の実施の形態である情報提示システム６０は、ネットワーク３０を介して接続されるサーバ装置７０と情報提示装置８０とを有する。
【００５４】
サーバ装置７０は、情報提示装置８０のユーザに対する案内情報と通知情報を、ネットワーク３０を介して情報提示装置８０に供給する。
【００５５】
情報提示装置８０は、自動車等に搭載されるものであって、サーバ装置７０から供給される案内情報を画面表示と音声の少なくとも一方によってユーザに提示する。また、情報提示装置８０は、案内情報の提示に干渉しないように、通知情報を可能な限りユーザに提示する。
【００５６】
サーバ装置７０は、通知情報取得部７１、バッファ７２、ナビゲーション処理部７３、案内情報取得部７４、提示判定部７５、及び通信部７６を有する。
【００５７】
通知情報取得部７１は、情報提示装置８０のユーザに対して提示すべき通知情報を取得する。例えば、通知情報取得部７１は、情報提示装置８０のユーザが使用しているメールサーバ等から電子メールやスケジュール情報を通知情報として取得する。また、通知情報取得部７１は、放送網等を介して緊急情報を通知情報として取得する。さらに、通知情報取得部７１は、情報提示装置８０からバッテリ残量を通知情報として取得したり、情報提示装置８０から情報提示装置８０が搭載された自動車等（不図示）からエネルギー残量等を通知情報として取得したりする。なお、通知情報取得部７１は、通知情報の供給がプッシュ型とプル型のいずれであっても対応できる。
【００５８】
バッファ７２は、通知情報取得部７１によって順次取得される通知情報を保持して、順次、提示判定部７５に供給する。なお、バッファ７２に保持される通知情報には、予めユーザに提示すべきタイミングが付与されているもの（例えば、スケジュール情報の場合、開始時間の１時間前等）が存在する。ただし、予めユーザに提示すべきタイミングが付与されていない通知情報については、バッファ７２に保持された順に、提示すべきタイミングが付与されるものとする。
【００５９】
ナビゲーション処理部７３は、情報提示装置８０におけるナビゲーション機能を実現するものであり、情報提示装置８０のユーザに対して目的地までの経路等を案内する案内情報を案内情報取得部７４に供給する。案内情報取得部７４は、ナビゲーション処理部７３から取得した案内情報を保持し、保持する案内情報の提示タイミングに合わせて提示判定部７５に供給する。
【００６０】
提示判定部７５（本発明のサーバ装置における判定部に相当する）は、バッファ７２から供給される通知情報と、案内情報取得部７４から供給される案内情報とを通信部７６、及びネットワーク３０を介して情報提示装置８０に供給する。
【００６１】
また、提示判定部７５は、情報提示装置８０に供給する通知情報と案内情報の提示タイミングが重複する場合、案内情報の種類（１型乃至５型）に応じて、通知情報の提示方法を判定し、通信部７６、及びネットワーク３０を介して情報提示装置８０に通知する。なお、提示判定部７５による通知情報の提示方法を判定する処理については、上述した車載装置４０による提示判定処理と同様であるので、その説明は省略する。
【００６２】
通信部７６（本発明のサーバ装置における供給部に相当する）は、ネットワーク３０を介して情報提示装置８０と通信し、提示判定部７５からの案内情報、通知情報、及び通知情報の提示方法を供給する。
【００６３】
情報提示装置８０は、通信部８１、情報処理部８２、表示出力制御部８３、ディスプレイ８４、音声出力制御部８５、及びスピーカ８６を有する。
【００６４】
通信部８１は、ネットワーク３０を介してサーバ装置７０に接続し、サーバ装置７０から供給される案内情報、及び通知情報を受信するとともに、通知情報の提示方法の通知を受信して情報処理部８２に出力する。
【００６５】
情報処理部８２は、表示出力制御部８３と音声出力制御部８５とを制御して、サーバ装置７０から供給される案内情報と通知情報の画面表示をディスプレイ８４に出力させ、音声をスピーカ８６から出力させる。
【００６６】
具体的には、情報処理部８２は、案内情報の画面表示や音声を優先的に提示させ、通知情報の画面表示や音声を、サーバ装置７０から供給される提示方法に従って提示させる。
【００６７】
情報提示装置８０においては、案内情報の種類に応じ、案内情報の提示に干渉しないように、可能な限り通知情報が提示されるので、ユーザは、案内情報とともに、自身にとって有益な通知情報も把握することが可能となる。
【００６８】
ところで、上述した本発明の第１の実施の形態における車載装置４０、第２の実施の形態におけるサーバ装置７０及び情報提示装置８０については、ハードウェアにより構成することもできるし、ソフトウェアにより実現することもできる。車載装置４０等をソフトウェアにより実現する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータ等が含まれる。
【００６９】
図６は、車載装置４０等をプログラムにより実現するコンピュータのハードウェアの構成例を示すブロック図である。
【００７０】
このコンピュータ２００において、ＣＰＵ（Central Processing Unit）２０１，ＲＯＭ（Read Only Memory）２０２，ＲＡＭ（Random Access Memory）２０３は、バス２０４により相互に接続されている。
【００７１】
バス２０４には、さらに、入出力インターフェース２０５が接続されている。入出力インターフェース２０５には、入力部２０６、出力部２０７、記憶部２０８、通信部２０９、およびドライブ２１０が接続されている。
【００７２】
入力部２０６は、キーボード、マウス、マイクロフォン等より成る。出力部２０７は、車載装置４０のディスプレイ４８、スピーカ５０等に相当する。記憶部２０８は、ハードディスクや不揮発性のメモリ等より成る。通信部２０９は、ネットワークインターフェース等より成り、車載装置４０の通信部４１に相当する。ドライブ２１０は、磁気ディスク、光ディスク、光磁気ディスク、又は半導体メモリ等のリムーバブルメディア２１１を駆動する。
【００７３】
さらに、入出力インターフェース２０５には、ＧＰＳ受信機等の測位信号受信部、ＯＢＤポート等の自動車の社内ネットワークに接続するための接続部、ジャイロセンサ、加速度センサ、ＦＭ多重放送受信部等（いずれも不図示）が接続されていてもよい。
【００７４】
以上のように構成されるコンピュータ２００では、ＣＰＵ２０１が、例えば、記憶部２０８に記憶されているプログラムを、入出力インターフェース２０５およびバス２０４を介して、ＲＡＭ２０３にロードして実行することにより、車載装置４０が実現される。
【００７５】
コンピュータ２００（ＣＰＵ２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【００７６】
コンピュータ２００では、プログラムは、リムーバブルメディア２１１をドライブ２１０に装着することにより、入出力インターフェース２０５を介して、記憶部２０８にインストールすることができる。また、プログラムは、有線または無線の伝送媒体を介して、通信部２０９で受信し、記憶部２０８にインストールすることができる。その他、プログラムは、ＲＯＭ２０２や記憶部２０８に、あらかじめインストールしておくことができる。
【００７７】
なお、コンピュータ２００が実行するプログラムは、本明細書で説明する順序に沿って時系列に処理が行われるプログラムであってもよいし、並列に、あるいは呼び出しが行われたとき等の必要なタイミングで処理が行われるプログラムであってもよい。
【００７８】
本明細書に記載された効果はあくまで例示であって限定されるものではなく、他の効果があってもよい。
【００７９】
本発明は、上記した実施形態に限定されるものではなく、様々な変形例が含まれる。例えば、上記した各実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【００８０】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現されてもよい。各機能を実現するプログラム、テーブル、ファイル等の情報は、メモリや、ハードディスク、ＳＳＤ(Solid State Drive)等の記憶装置、または、ＩＣカード、ＳＤカード、ＤＶＤ等の記録媒体に置くことができる。また、制御線や情報線は説明上必要と考えられるものを示しており、製品上必ずしも全ての制御線や情報線を示しているとは限らない。実際には殆ど全ての構成が相互に接続されていると考えてもよい。
【００８１】
本発明は、車載装置、情報提示方法、情報提示システム、及びサーバ装置だけでなく、コンピュータ読み取り可能なプログラム等の様々な態様で提供することができる。
【符号の説明】
【００８２】
１０・・・情報提示システム、２０・・・クラウドサーバ、３０・・・ネットワーク、４０・・・車載装置、４１・・・通信部、４２・・・通知情報取得部、４３・・・バッファ、４４・・・ナビゲーション処理部、４５・・・案内情報取得部、４６・・・提示判定部、４７・・・表示出力制御部、４８・・・ディスプレイ、４９・・・音声出力制御部、５０・・・スピーカ、６０・・・情報提示システム、７０・・・サーバ装置、７１・・・通知情報取得部、７２・・・バッファ、７３・・・ナビゲーション処理部、７４・・・案内情報取得部、７５・・・提示判定部、７６・・・通信部、８０・・・情報提示装置、８１・・・通信部、８２・・・情報処理部、８３・・・表示出力制御部、８４・・・ディスプレイ、８５・・・音声出力制御部、８６・・・スピーカ、１０１・・・案内情報全画面表示、１０２・・・案内情報部分画面表示、１０３・・・通知情報部分画面表示、１０４・・・通知情報全画面表示、１０１・・・通知情報部分画面表示、２００・・・コンピュータ、２０４・・・バス、２０５・・・入出力インターフェース、２０６・・・入力部、２０７・・・出力部、２０８・・・記憶部、２０９・・・通信部、２１０・・・ドライブ、２１１・・・リムーバブルメディア
【図１】
2019078584.tif 000003
【図２】
2019078584.tif 000004
【図３】
2019078584.tif 000005
【図４】
2019078584.tif 000006
【図５】
2019078584.tif 000007
【図６】
2019078584.tif 000008